(57)【要約】【課題】発光により報知をする電話システムにおいて、設置台が光源および専用の回路基板を備えずに、設置台が発光しているように見せる。【解決手段】通話装置（１０）は、光を出射する発光領域（１０Ａ）を含む設置面で充電器（２０）と接するように、充電器（２０）上に設置され、充電器（２０）は、発光領域（１０Ａ）から出射された光を反射して、設置面の輪郭の周辺に拡散する。【選択図】図１
2018064247.tif 000002
【特許請求の範囲】
【請求項１】
通信装置と、該通信装置の設置台とを備えた電話システムであって、
上記通信装置は、光を出射する発光領域を含む設置面を有しており、
上記通信装置は、上記設置面で上記設置台と接するように、上記設置台上に設置され、
上記設置台は、設置された上記通信装置の上記発光領域から出射された光を反射して、上記設置面の輪郭の周辺に光を拡散させることを特徴とする電話システム。
【請求項２】
上記設置台は、
透明な材料で構成された平板状の拡散部を備え、
上記拡散部は、上記設置面と接して、上記発光領域から出射された光を透過させる透過面と、上記透過面とは反対側の反射面とを有することを特徴とする請求項１に記載の電話システム。
【請求項３】
上記設置台の表面には、嵌合部が設けられており、
上記通信装置は、上記発光領域において、上記嵌合部と嵌合する形状を有することを特徴とする請求項１または２に記載の電話システム。
【請求項４】
上記通信装置は、
光源と、
上記光源から出射された光を上記発光領域へ導く導光部と、
を備えたことを特徴とする請求項１から３のいずれか１項に記載の電話システム。
【請求項５】
上記通信装置は、報知のために上記発光領域を発光させることを特徴とする請求項１から４のいずれか１項に記載の電話システム。
【請求項６】
上記発光領域は、上記設置面の周縁の少なくとも一部に形成されていることを特徴とする請求項１から５のいずれか１項に記載の電話システム。
【請求項７】
光を出射する発光領域を含む設置面を有しており、
入射した光を拡散させる設置台と上記設置面で接するように、上記設置台上に設置されることを特徴とする通信装置。
【請求項８】
発光領域を含む設置面を有する通信装置が設置される設置台であって、
上記通信装置が、上記設置面で上記設置台に接するように、上記設置台上に設置されたとき、上記通信装置の上記発光領域から出射された光を反射して、上記設置面の輪郭の周辺に光を拡散させることを特徴とする設置台。
【発明の詳細な説明】
【技術分野】
【０００１】
本発明は、電話システムに関し、特に、通信装置および設置台を備えた電話システムに関する。
【背景技術】
【０００２】
電話システムは、持ち運び可能な通話装置（通信装置）と、充電器（設置台）とを備える。例えば、移動可能な通話装置には、コードレス受話器および子機が含まれる。通話装置は、内部バッテリに蓄電された電力によって動作する。通話装置は、使用されないとき、充電器上に設置される。
【先行技術文献】
【特許文献】
【０００３】
【特許文献１】特開２００４−１０４３５１号公報（２００４年４月２日公開）
【発明の概要】
【発明が解決しようとする課題】
【０００４】
従来の電話システムの中には、着信があったとき、報知のために通話装置を発光させるものがある（特許文献１）。ところが、通話装置が充電器等の設置台上に設置されているとき、通話装置の発光領域が設置台によって隠される場合がある。また、通話装置が設置台上に設置されたときの通話装置の向きによって、通話装置の発光領域がユーザから視認できない場合がある。
【０００５】
そこで、着信時に、通話装置の代わりに、あるいは通話装置とともに、設置台を発光させる構成が考えられる。しかしながら、この構成では、設置台に光源を設け、さらに、その光源の発光を制御するための専用の回路基板も設置台に設ける必要がある。そのため、設置台のコストが増大するという問題がある。
【０００６】
本発明の一態様は、発光により報知をする電話システムにおいて、設置台が光源および専用の回路基板を備えずに、設置台が発光しているように見せることを目的とする。
【課題を解決するための手段】
【０００７】
上記の課題を解決するために、本発明の一態様に係る電話システムは、通信装置と、該通信装置の設置台とを備えた電話システムであって、上記通信装置は、光を出射する発光領域を含む設置面を有しており、上記通信装置は、上記設置面で上記設置台と接するように、上記設置台上に設置され、上記設置台は、設置された上記通信装置の上記発光領域から出射された光を反射して、上記設置面の輪郭の周辺に光を拡散させる。
【０００８】
上記の課題を解決するために、本発明の一態様に係る通信装置は、光を出射する発光領域を含む設置面を有しており、入射した光を拡散させる設置台と上記設置面で接するように、上記設置台上に設置される。
【０００９】
上記の課題を解決するために、本発明の一態様に係る設置台は、発光領域を含む設置面を有する通信装置を設置される設置台であって、上記通信装置が、上記設置面で上記設置台に接するように、上記設置台上に設置されたとき、上記通信装置の上記発光領域から出射された光を反射して、上記設置面の輪郭の周辺に光を拡散させる。
【発明の効果】
【００１０】
本発明の一態様によれば、設置台が光源および専用の回路基板を備えずに、設置台が発光しているように見せることができる。
【図面の簡単な説明】
【００１１】
【図１】実施形態１に係る電話システムの外観図である。
【図２】実施形態１に係る電話システムの要部の断面図である。
【図３】実施形態２に係る電話システムの外観図であり、充電器の表面上に、通話装置が横向きに置かれた状態を示す図である。
【図４】実施形態２に係る電話システムの外観図であり、充電器の表面上に、通話装置が縦向きに置かれた状態を示す図である。
【発明を実施するための形態】
【００１２】
〔実施形態１〕
以下、本発明の実施の形態について、図１〜図２を用いて詳細に説明する。
【００１３】
（電話システム１の構成）
図１は、本実施形態に係る電話システム１の外観図である。図１に示すように、電話システム１は、通話装置１０（通信装置）および充電器２０（設置台）を備えている。通話装置１０は、電話システム１の親機（図示せず）と無線接続される子機であってもよいし、親機のコードレス受話器であってもよい。通話装置１０は、使用されていないとき、充電器２０上に設置される。このとき、通話装置１０の底面（設置面）と、充電器２０の拡散部２２とが接する。なお、電話システム１は、充電器２０の代わりに、または充電器２０に加えて、通話装置１０の設置台を備えていてもよい。
【００１４】
図１に示すように、通話装置１０の底面には、光を出射する発光領域１０Ａが設けられている。発光領域１０Ａとは、通話装置１０が充電器２０に設置されているときに、導光部１１が充電器２０の設置面に向けて光を出射する領域のことである。発光領域１０Ａは、例えば、通話装置１０の底面の全体に形成されていてもよいし、底面の一部に形成されていてもよい。なお、通話装置１０の底面の全体が発光する必要はない。通話装置１０の底面の全体のうち、通話装置１０が充電器２０に設置しているときに、充電器２０の嵌合部２１によって覆われる領域は、発光する必要はない。つまり、充電器２０の拡散部２２と近接する領域のみが発光すれば、十分である。通話装置１０の一部領域が発光すれば十分である。発光領域１０Ａは、通話装置１０の底面の周縁の少なくとも一部に形成されていればよい。発光領域１０Ａは、複数に分離していてもよい。
【００１５】
充電器２０の拡散部２２は、嵌合部２１を備えている。通話装置１０が充電器２０の拡散部２２上に設置されているとき、拡散部２２の嵌合部２１が、通話装置１０の発光領域１０Ａ内に形成された凹凸構造と嵌合する（図２参照）。これにより、通話装置１０は、充電器２０上で安定する。本実施形態では、通話装置１０は、接触方式または非接触方式で、充電器２２０から電力を供給されてよい。前者の構成では、充電器２０の嵌合部２１に、出力端子が設けられており、通話装置１０の発光領域１０Ａ内の対応する位置に、入力端子が設けられていてよい。後者の構成では、充電器２０および通話装置１０は、それぞれ、誘導電圧を発生させるためのコイルを備えていてよい。
【００１６】
電話システム１において、着信があったとき、あるいは、それ以外の所定のイベント（例えば、未再生の留守電メッセージあり、充電中、充電完了）が発生したとき、通話装置１０の発光領域１０Ａが報知のために発光する。図１に示すように、通話装置１０が、充電器２０上に設置されているとき、通話装置１０の発光領域１０Ａから出射される光は、ユーザに直接的には視認されることがない。しかしながら、電話システム１は、通話装置１０の発光領域１０Ａから出射される光を、充電器２０の拡散部２２によって拡散させる。そのため、図１に示すように、ユーザには、拡散部２２が発光しているように見える。本実施形態の構成によれば、充電器２０は、光源を備えている必要がなく、また、光源を制御するための専用の回路基板を備えている必要もない。以下で、電話システム１の構造について詳細に説明する。
【００１７】
（電話システム１の構造）
図２を用いて、電話システム１の構造を説明する。図２は、電話システム１の内部構造を示す要部の断面図である。図２に示すように、通話装置１０の底面は、充電器２０の嵌合部２１と嵌合する凹構造を備えている。通話装置１０の底面の周縁が、充電器２０の表面と接している。通話装置１０は、底面に形成された凹構造の内側に、導光部１１および２つの光源１２を備えている。導光部１１は、２つの光源１２から出射された光を導光する。導光部１１は、例えば、透明樹脂またはプラスチックなどの透明な材料で構成されていてよい。導光部１１は、充電器２０の拡散部２２と近接する端部以外を、波高部位依って被覆されていてもよい。導光部１１は、各光源１２に対し、１つずつ設けられていてもよいし、２つの光源１２に対し、ただ１つだけ設けられていてもよい。通話装置１０は、２つ以上の光源１２を備えていてもよい。
【００１８】
通話装置１０が充電器２０上に設置されていない場合、導光部１１は、光源１２から出射された光を、通話装置１０の底面の全体から出射する。一方、図２に示すように、通話装置１０が充電器２０上に設置されている場合、導光部１１は、２つの光源１２から出射された光を、通話装置１０の底面の周縁に沿って環状に設けられている発光領域１０Ａへ導光する。より詳細には、導光部１１は、まず、光源１２から、通話装置１０の底面の凹構造に沿って、通話装置１０の側面まで導光する。次に、導光部１１は、通話装置１０の側面に沿って、充電器２０の表面へ向かって導光する。導光部１１は、充電器２０の表面と近接する発光領域１０Ａの一部領域から、光を出射する。図２に示すように、発光領域１０Ａは、充電器２０の表面と近接する端部において、少し膨らんだ形状を有する。これにより、発光領域１０Ａの面積を広げることができる。導光部１１は、通話装置１０の底面の周縁に設けられた発光領域１０Ａの少なくとも一部から、光を出射すればよい。
【００１９】
光源１２は、例えば、ＬＥＤ（light emitting diode：発光ダイオード）であってよい。光源１２は、通話装置１０が備えたＬＥＤ点灯制御回路（図示せず）によって、所定のイベントが発生したとき（例えば、着信時）に発光するように制御される。光源１２を制御するＬＥＤ点灯制御回路は、通話装置１０の表示画面または物理キーを発光させるための光源を制御するＬＥＤ点灯制御回路と共通であってよい。なお、光源１２は、通話装置１０の底面の近傍に設けられていてもよい。この構成では、光源１２から通話装置１０の底面までの距離が短くなるので、導光部１１を短くすることができる。
【００２０】
充電器２０は、表面側に拡散部２２を備えている。拡散部２２は、平板状の透明な材料で形成されている。拡散部２２の一方の面２２Ａ（透過面）上には、通話装置１０の底面の凹構造と嵌合する嵌合部２１が設けられている。また、拡散部２２の他方の面２２Ｂ（反射面）には、光を反射するミラーインクが塗布されている。
【００２１】
図２に示すように、発光領域１０Ａから出射された光は、拡散部２２の透明な透過面２２Ａを通って、拡散部２２の中へ透過する。拡散部２２の中へ透過した光は、拡散部２２の反対側の反射面２２Ｂによって反射される。拡散部２２の反射面２２Ｂによって反射された光は、拡散部２２の中を再び透過して、拡散部２２の透過面２２Ａから出射する。光は様々な方向に拡散する。通話装置１０の底面に向かって拡散した光は、通話装置１０によって遮蔽されるため、ユーザによって視認されないが、通話装置１０の底面の輪郭の周辺へ拡散した光は、電話システム１の近傍にいるユーザによって視認される。ユーザには、充電器２０の表面の一部、主に通話装置１０と接する領域の周辺、が発光しているように見える（図１参照）。実際には、ユーザは、発光領域１０Ａから出射されて、拡散部２２によって拡散された光の一部を見ている。
【００２２】
〔実施形態２〕
本発明の他の実施形態について、図３〜図４に基づいて説明すれば、以下のとおりである。なお、説明の便宜上、前記実施形態にて説明した部材と同じ機能を有する部材については、同じ符号を付記し、その説明を省略する。
【００２３】
本実施形態では、通話装置の背面（設置面）が充電器の傾斜した表面と接する構成を説明する。
【００２４】
（電話システム２の構成）
図３および図４は、本実施形態に係る電話システム１の外観図である。図３および図４に示すように、電話システム２は、通話装置２１０および充電器２２０を備えている。本実施形態では、通話装置２１０は、非接触方式で充電器２２０から電力を供給されてよい。通話装置２１０は、前記実施形態１の通話装置１０とは異なり、背面側に発光領域２１０Ａを有する。発光領域２１０Ａは、通話装置２１０の背面の全体に設けられていてもよいし、通話装置２１０の背面の周縁部にのみ設けられていてもよい。後者の構成では、通話装置２１０は、背面の周縁に沿って配列した複数の光源を備えていてもよいし、光源から出射される光を、背面の周縁に沿って導光してもよい。通話装置２１０は、通話装置２１０の背面の少なくとも一部が充電器２２０の表面と接するように、充電器２２０上に配置される。所定のイベント（例えば、着信、充電中、充電完了）が発生したとき、通話装置２１０は、発光領域２１０Ａから光を出射する。
【００２５】
充電器２２０の表面側には、前記実施形態１で説明した拡散部２２が設けられている。また、充電器２２０は、表面上に複数の突起部２２１を備えている。図３および図４に示すように、充電器２２０の表面は、水平面に対して傾斜している。通話装置２１０は、複数の突起部２２１によって支持されることにより、充電器２２０の表面上で、重力に抗している。したがって、通話装置２１０は、充電器２２０の表面から滑り落ちることはない。
【００２６】
図３では、通話装置２１０の背面の全体が、充電器２２０の表面と接している。図３に示すように、通話装置２１０は、背面側に設けられた発光領域２１０Ａから、光を出射する。発光領域２１０Ａから出射された光は、充電器２２０の表面側に設けられた拡散部２２によって拡散される。ユーザは、充電器２２０の拡散部２２によって拡散された光を視認する。図３に示すように、ユーザには、充電器２２０の表面の一部、特に通話装置２１０の背面の輪郭の周辺、が発光しているように見える。発光領域２１０Ａは、通話装置２１０の背面の全体に形成されていてもよいし、背面の一部に形成されていてもよい。発光領域２１０Ａは、通話装置２１０の背面の周縁の少なくとも一部に形成されていればよい。発光領域２１０Ａは、複数に分離していてもよい。
【００２７】
図３では、通話装置２１０は、横向きで、充電器２２０に保持されているが、通話装置２１０は、どのような向きで充電器２２０に保持されていてもよい。また、図３では、通話装置２１０の背面の全体が、充電器２２０の表面と接しているが、通話装置２１０の背面の一部が、充電器２２０の表面と接していてもよい。通話装置２１０は、発光領域２１０Ａの少なくとも一部が、充電器２２０の表面と接するように、充電器２２０上に配置されていればよい。
【００２８】
図４では、通話装置２１０が、縦向きで、充電器２２０に保持されている。図４では、通話装置２１０の上部が、充電器２２０の表面上からはみ出しているが、通話装置２１０の発光領域２１０Ａの一部が、充電器２２０の表面と接している。そのため、発光領域２１０Ａが発光しているとき、ユーザには、充電器２２０の表面の一部、主に通話装置２１０の背面の輪郭の周辺、が発光しているように見える。
【００２９】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００３０】
前記実施形態１では、充電器２０の拡散部２２は、充電器２０上に設置された通話装置１０の底面から出射された光を、面２２Ｂで反射することによって、通話装置１０の底面の周辺に光を拡散する（図２参照）。本実施形態では、充電器２０の拡散部２２の他方の面２２Ａにも、面２２Ｂと同様に、ミラーインクが塗布される。面２２Ａは、通話装置１０の底面から出射された光を拡散部２２の内側に透過させるが、拡散部２２の内側から面２２Ａに入射した光を反射する。この構成では、拡散部２２の端部、すなわち充電器２０の４つの側面まで光を拡散することができる。なお、拡散部２２の全ての側面まで光を拡散させる必要はない。拡散部２２の一部の側面まで光を拡散させるだけで、通話装置１０の底面の周辺に光を拡散することができる。
【００３１】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【００３２】
前記実施形態１では、通話装置１０（図１および図２）の底面部に発光領域が設けられている。また、前記実施形態２では、通話装置２１０（図３および図４）の背面部に発光領域が設けられている。本実施形態では、発光領域が、通話装置１０、２１０の底面部および背面部の両方に設置されている。この構成では、底面部または背面部に、照度センサまたは近接センサが設置されている。通話装置１０、２１０が充電器２０、２２０に設置されたとき、通話装置１０、２１０は、照度センサまたは近接センサによって、通話装置１０、２１０の底面（第１の設置面）および背面（第２の設置面）のどちらが充電器２０、２２０に接触または近接しているかを判断する。そして、通話装置１０、２１０の底面が充電器２０、２２０に接触または近接している場合、通話装置１０、２１０は、底面部の発光領域を発光させるように制御する。また、通話装置１０、２１０の背面が充電器２０、２２０に接触または近接している場合、通話装置１０、２１０は、背面部の発光領域を発光させるように制御する。これにより、通話装置１０、２１０の底面および背面のどちらが充電器２０、２２０に接触または近接している場合であっても、適切な発光領域を発光させることができる。
【００３３】
〔まとめ〕
本発明の態様１に係る電話システム（１、２）は、通信装置（１０）と、該通信装置の設置台（２０）とを備えた電話システムであって、上記通信装置は、光を出射する発光領域（１０Ａ、２１０Ａ）を含む設置面を有しており、上記通信装置は、上記設置面で上記設置台と接するように、上記設置台上に設置され、上記設置台は、設置された上記通信装置の上記発光領域から出射された光を反射して、上記設置面の輪郭の周辺に光を拡散させる。
【００３４】
上記の構成によれば、充電器が、通信装置の設置面と接しているとき、設置面内の発光領域から出射された光を反射して、設置面の輪郭の周辺に拡散させる。ユーザは、充電器が拡散した光を視認する。したがって、設置台が光源および専用の回路基板を備えずに、設置台が発光しているように見せることができる。
【００３５】
本発明の態様２に係る電話システムは、上記態様１において、上記設置台は、透明な材料で構成された平板状の拡散部（２２）を備え、上記拡散部は、上記設置面と接して、上記発光領域から出射された光を透過させる透過面（２２Ａ）と、上記透過面とは反対側の反射面（２２Ｂ）とを有していてもよい。
【００３６】
上記の構成によれば、ユーザは、透過面を透過する光を直接的に視認することはできないが、設置台の反射面によって拡散された光を視認することができる。
【００３７】
本発明の態様３に係る電話システムは、上記態様１または２において、上記設置台の表面には、嵌合部（２１）が設けられており、上記通信装置は、上記発光領域において、上記嵌合部と嵌合する形状を有していてもよい。
【００３８】
上記の構成によれば、通信装置を設置台の嵌合部に嵌合させることにより、設置台上で通信装置を安定させることができる。
【００３９】
本発明の態様４に係る電話システムは、上記態様１から３のいずれかにおいて、上記通信装置は、光源（１２）と、上記光源から出射された光を上記発光領域へ導く導光部（１１）と、を備えていてもよい。
【００４０】
上記の構成によれば、光源の光を発光領域まで導いて、発光領域から光を出射することができる。
【００４１】
本発明の態様５に係る電話システムは、上記態様１から４のいずれかにおいて、上記通信装置は、報知のために上記発光領域を発光させてもよい。
【００４２】
上記の構成によれば、通信装置が、報知のために発光領域を発光させたとき、ユーザには、設置面の輪郭の周辺が発光しているように見える。そのため、ユーザは、報知に気付くことができる。
【００４３】
本発明の態様６に係る電話システムは、上記態様１から５のいずれかにおいて、上記発光領域は、上記設置面の周縁の少なくとも一部に形成されていてもよい。
【００４４】
上記の構成によれば、設置面の輪郭の周辺に、光を拡散させやすい。
【００４５】
本発明の態様７に係る電話システムは、上記態様２において、上記拡散部の上記透過面は、上記通信装置の上記発光領域から出射された光を上記拡散部の内側に透過させるが、上記拡散部の内側から上記透過面に入射した光を反射させてもよい。
【００４６】
上記の構成によれば、透過面を通って拡散部に入射した光を、拡散部の内部を拡散部の端部まで導光することができる。
【００４７】
本発明の態様８に係る電話システムは、上記態様１から７のいずれかにおいて、上記通信装置は、複数の設置面を備えており、上記複数の設置面のうち、上記設置台と接する設置面の上記発光領域を発光させてもよい。
【００４８】
上記の構成によれば、通信装置の複数の設置面のうち、設置台と接している設置面の発光領域が発光するので、設置面から出射した光を設置台で拡散することができる。
【００４９】
上記態様１から８のいずれかの電話システムが備えた通信装置（通話装置１０）および設置台（充電器２０）も、本発明に含まれる。
【００５０】
本発明の態様１１に係る通信装置は、光を出射する発光領域を含む設置面を有しており、入射した光を拡散させる設置台と上記設置面で接するように、上記設置台上に設置される。
【００５１】
上記の構成によれば、設置台と接している設置面の発光領域が発光するので、設置面から出射した光を設置台で拡散することができる。
【００５２】
本発明の態様１２に係る設置台は、発光領域を含む設置面を有する通信装置が設置される設置台であって、上記通信装置が、上記設置面で上記設置台に接するように、上記設置台上に設置されたとき、上記通信装置の上記発光領域から出射された光を反射して、上記設置面の輪郭の周辺に光を拡散させる。
【００５３】
上記の構成によれば、通信装置が設置台上に設置されており、設置面が設置台と接している場合であっても、設置面の発光領域から出射される光を、設置面の輪郭の周辺に拡散する。ユーザは、拡散された光を視認することができる。
【００５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５５】
１、２  電話システム
１０  通話装置（通信装置）
１０Ａ、２１０Ａ  発光領域
２０  充電器（設置台）
１１  導光部
１２  光源
２１  嵌合部
２２  拡散部
２２Ａ  透過面
２２Ｂ  反射面
【図１】
2018064247.tif 000003
【図２】
2018064247.tif 000004
【図３】
2018064247.tif 000005
【図４】
2018064247.tif 000006